(57)【要約】【課題】本発明は、回転装置のチャックに水が入り込まないようにして、チャックの錆付き防止を図ることである。【解決手段】本発明は、回転出力軸の先端にチャック２７が設けられており、そのチャック２７によって被回転部材２９の回転中心軸を把持する構成の回転装置であって、チャック２７には、被回転部材２９の回転中心軸が水密な状態で通される軸穴５２ｈが形成された防水カバー５０が被せられている。【選択図】図３
2014050919.tif 000002
【特許請求の範囲】
【請求項１】
回転出力軸の先端にチャックが設けられており、そのチャックによって被回転部材の回転中心軸を把持する構成の回転装置であって、
前記チャックには、前記被回転部材の回転中心軸が水密な状態で通される軸穴が形成された防水カバーが被せられていることを特徴とする回転装置。
【請求項２】
請求項１に記載された回転装置であって、
前記防水カバーは、少なくとも軸穴の周縁が弾性を有していることを特徴とする回転装置。
【請求項３】
請求項２に記載された回転装置であって、
前記防水カバーの軸穴の内径寸法は、前記被回転部材の回転中心軸の外径寸法よりも小さく設定されていることを特徴とする回転装置。
【請求項４】
請求項１から請求項３のいずれかに記載された回転装置であって、
前記防水カバーの内壁面には、前記チャックの外周面のリング溝と円周方向において連続して嵌合可能な突条、あるいは前記チャックの外周面の突条と円周方向において連続して嵌合可能なリング溝が形成されていることを特徴とする回転装置。
【請求項５】
請求項１から請求項４のいずれかに記載された回転装置であって、
前記防水カバーは、前記チャックの後端側でそのチャックと係合可能に構成されていることを特徴とする回転装置。
【発明の詳細な説明】
【技術分野】
【０００１】
本発明は、回転出力軸の先端にチャックが設けられており、そのチャックによって被回転部材の回転中心軸を把持する構成の回転装置に関する。
【背景技術】
【０００２】
これに関連する従来の回転装置が特許文献１に記載されている。
特許文献１に記載の回転装置は電動アングルドリルであり、図５に示すように、工具本体部１０１の出力軸１０３の先端にチャック１０５が連結されている。チャック１０５は、ドリル等の先端工具を把持する部分であり、チャックボディ１０６と、チャックボディ１０６の三個の傾斜穴１０６ｈにそれぞれ挿通された三本の爪１０７と、三本の爪１０７をそれぞれ傾斜穴１０６ｈに沿って進退させる締付リング１０８とを備えている。そして、チャック１０５の三本の爪１０７が拡開している状態で、ドリル等の先端工具をそれらの爪１０７の間に挿入し、締付リング１０８を締め付けることで、三本の爪１０７が前進して爪１０７の間隔が狭くなり、前記先端工具を把持できるようになる。
【先行技術文献】
【特許文献】
【０００３】
【特許文献１】特開２００２−２３９８１７号公報
【発明の概要】
【発明が解決しようとする課題】
【０００４】
しかし、上記した電動アングルドリルの使用中に先端工具の部分に水が掛かると、その水が先端工具を伝ってチャック１０５内に入り込むことがある。これにより、チャック１０５の爪１０７等が経時的に錆付いて動作不良となることがある。
【０００５】
本発明は、上記問題点を解決するためになされたものであり、本発明が解決しようとする課題は、回転装置のチャックに水が入り込まないようにして、チャックの錆付き防止を図ることである。
【課題を解決するための手段】
【０００６】
上記した課題は、各請求項の発明によって解決される。
請求項１の発明は、回転出力軸の先端にチャックが設けられており、そのチャックによって被回転部材の回転中心軸を把持する構成の回転装置であって、
前記チャックには、前記被回転部材の回転中心軸が水密な状態で通される軸穴が形成された防水カバーが被せられていることを特徴とする。
【０００７】
本発明によると、チャックには、被回転部材の回転中心軸が水密な状態で通される軸穴が形成された防水カバーが被せられている。このため、被回転部材、及び回転装置のチャックに水が掛かっても、その水が被回転部材の回転中心軸を伝ってチャックの内側に入り込むことがなくなる。この結果、チャックの錆付きを防止できるようになる。
【０００８】
請求項２の発明によると、防水カバーは、少なくとも軸穴の周縁が弾性を有していることを特徴とする。
また、請求項３の発明によると、防水カバーの軸穴の内径寸法は、被回転部材の回転中心軸の外径寸法よりも小さく設定されていることを特徴とする。
このため、防水カバーの軸穴と被回転部材の回転中心軸間のシール性が向上する。
【０００９】
請求項４の発明によると、防水カバーの内壁面には、チャックの外周面のリング溝と円周方向において連続して嵌合可能な突条、あるいは前記チャックの外周面の突条と円周方向において連続して嵌合可能なリング溝が形成されていることを特徴とする。
また、請求項５の発明によると、防水カバーは、チャックの後端側でそのチャックと係合可能に構成されていることを特徴とする。
このため、チャックに対して後方から水が掛かった場合でも、その水がチャックの内側に入り難くなる。
【発明の効果】
【００１０】
本発明によると、回転装置のチャックに水が入り込み難くなり、チャックの錆付き防止を図れるようになる。
【図面の簡単な説明】
【００１１】
【図１】本発明の実施形態１に係る回転装置である電動ドライバの全体側面図である。
【図２】前記電動ドライバのチャックの防水カバーを表す模式斜視図である。
【図３】前記防水カバーを電動ドライバのチャックに被せた状態を表す一部破断側面図である。
【図４】変更例に係る防水カバーを電動ドライバのチャックに被せた状態を表す一部破断側面図（Ａ図）、及びＡ図のＢ矢視拡大図（Ｂ図）である。
【図５】従来の回転装置である電動アングルドリルの一部破断側面図である。
【発明を実施するための形態】
【００１２】
［実施形態１］
以下、図１から図４に基づいて、本発明の実施形態１に係る回転装置１０である電動ドライバ１０の説明を行う。
ここで、図中の前後左右、及び上下は、本実施形態に係る電動ドライバ１０の前後左右、及び上下に対応している。
【００１３】
＜電動ドライバ１０の全体構成について＞
電動ドライバ１０は、ネジ締め等に使用されるハンディタイプの電動工具である。電動ドライバ１０のハウジング１１は、図１に示すように、筒状のハウジング本体部２２と、そのハウジング本体部２２の下端面から下方向に突出するグリップ部２４とから側面略Ｔ字形に形成されている。
前記ハウジング１１のハウジング本体部２２には、電動ドライバ１０の駆動源であるモータ、歯車機構（図示省略）等がそのハウジング本体部２２とほぼ同軸になるように収納されている。そして、前記ハウジング本体部２２の前端部から出力軸（図番省略）が軸方向に突出しており、その出力軸の先端部にドライバビット等の先端工具２９を把持するためのチャック２７が設けられている。ここで、チャック２７の先端部分は後記する防水カバー５０によって覆われている。
【００１４】
前記ハウジング１１のグリップ部２４は、図１に示すように、グリップ本体２４ｍと、そのグリップ本体２４ｍの下側に設けられたバッテリ装着部２４ｂとから構成されている。そして、グリップ部２４のグリップ本体２４ｍとハウジング本体部２２との境界位置前側にトリガ形式の変速スイッチ２５が設けられている。また、グリップ部２４のバッテリ装着部２４ｂは、バッテリパック３０が軸方向から挿入されることで、そのバッテリパック３０が連結されるように構成されている。
バッテリパック３０は、電動ドライバ１０の電源であり、前記グリップ部２４のバッテリ装着部２４ｂに挿入される挿入部（図示省略）と、そのバッテリ装着部２４ｂの開口を塞ぐ装飾蓋部３４と、バッテリ装着部２４ｂに連結される連結部（図示省略）、及び連結解除操作部３６とから構成されている。
【００１５】
＜電動ドライバ１０のチャック２７について＞
電動ドライバ１０のチャック２７は、図３の一部破断側面図に示すように、チャックボディ２７１と、チャックボディ２７１の三個の傾斜穴２７１ｈにそれぞれ挿入されている三本の爪２７３と、チャックボディ２７１に対して三本の爪２７３を傾斜穴２７１ｈに沿って進退させる締付けリング２７５とから構成されている。
三本の爪２７３の外周面にはそれぞれ雄ネジ（図示省略）が形成されており、それらの雄ネジに締付けリング２７５のナット部（図示省略）の雌ネジが螺合されるようになっている。締付けリング２７５は、チャックボディ２７１に対して相対回転可能な状態で、そのチャックボディ２７１の周囲に装着されている。
上記構成により、チャックボディ２７１に対して締付けリング２７５を回転させることで、前記ナット部の雌ネジと爪２７３の雄ネジとの螺合作用で三本の爪２７３がチャックボディ２７１の傾斜穴２７１ｈに沿って進退し、先端工具２９の基端部を把持する各々の爪２７３の隙間が変化するようになる。
また、チャック２７の締付けリング２７５の先端外周面には、図３に示すように、防水カバー５０の内フランジ部５５が嵌合するリング溝２７５ｍが円周方向に延びるように形成されている。
【００１６】
＜電動ドライバ１０の防水カバー５０について＞
防水カバー５０は、チャック２７の先端部分を覆うゴム製のカバーであり、図２、図３に示すように、先端側の円錐台部５２と、その円錐台部５２に連続して設けられた基端部側の浅い円筒部５４とから構成されている。防水カバー５０の円錐台部５２は、チャック２７の各爪２７３とチャックボディ２７１間の隙間、及びチャックボディ２７１と締付けリング２７５との境界部分を覆い、その締付けリング２７５のリング溝２７５ｍと嵌合できるように構成されている。
そして、防水カバー５０の円錐台部５２の先端中央に先端工具２９が通される軸穴５２ｈが形成されている。ここで、軸穴５２ｈの内径寸法は、先端工具２９の外径寸法よりも若干小さく設定されている。このため、防水カバー５０の円錐台部５２の軸穴５２ｈに対して、先端工具２９がゴムの弾性力に抗して通されると、先端工具２９がその軸穴５２ｈの周縁部によって半径方向外側から締付られ、先端工具２９と円錐台部５２間のシールが図られる。
【００１７】
防水カバー５０の円錐台部５２の内壁面には、円筒部５４との境界位置に、半径方向内側に一定寸法だけ突出する内フランジ部５５が設けられている。そして、その内フランジ部５５がチャック２７の締付けリング２７５に形成されたリング溝２７５ｍと嵌合するようになっている。
さらに、チャック２７の締付けリング２７５は、図３に示すように、リング溝２７５ｍよりも後側が防水カバー５０の円筒部５４によって覆われている。
即ち、前記先端工具２９が本発明の被回転部材（回転中心軸）に相当する。また、防水カバー５０の内フランジ部５５が本発明における防水カバーの突条に相当する。
【００１８】
電動ドライバ１０の使用中に、先端工具２９、及びチャック２７の先端部分に水が掛かると、防水カバー５０の円錐台部５２によって水が弾かれるようになる。さらに、先端工具２９を伝ってチャック２７内に入り込もうとする水も、先端工具２９と防水カバー５０の軸穴５２ｈ間がシールされているため、防水カバー５０の内側に入り込むことがない。
また、チャック２７の締付けリング２７５のリング溝２７５ｍに防水カバー５０の内フランジ部５５が嵌合しており、その締付けリング２７５のリング溝２７５ｍの後方が防水カバー５０の円筒部５４に覆われている。このため、電動ドライバ１０の後方からチャック２７に対して水が掛かった場合でも、その水が防水カバー５０の円錐台部５２の内側に入り込むようなことがなくなる。
即ち、防水カバー５０の働きで、電動ドライバ１０のチャック２７の内側に水が入り込むようなことがなくなる。
【００１９】
＜本実施形態に係る電動ドライバ１０の長所について＞
本実施形態に係る電動ドライバ１０によると、チャック２７には、先端工具２９（被回転部材の回転中心軸）が水密な状態で通される軸穴５２ｈが形成された防水カバー５０が被せられている。このため、先端工具２９、及び電動ドライバ１０のチャック２７に水が掛かっても、その水が先端工具２９を伝ってチャック２７の内側に入り込むことがなくなる。この結果、チャック２７の錆付きを防止できるようになる。
また、防水カバー５０は、少なくとも軸穴５２ｈの周縁が弾性を有しており、さらに軸穴５２ｈの内径寸法は、先端工具２９の外径寸法よりも小さく設定されている。このため、防水カバー５０の軸穴５２ｈと先端工具２９間のシール性が向上する。
また、防水カバー５０の内壁面には、チャック２７の外周面のリング溝２７５ｍと円周方向において連続して嵌合可能な内フランジ部５５（突条）が形成されている。このため、チャック２７に対して後方から水が掛かった場合でも、その水がチャック２７の内側に入り難くなる。
【００２０】
＜変更例＞
ここで、本発明は上記実施形態に限定されるものではなく、本発明の要旨を逸脱しない範囲における変更が可能である。例えば、本実施形態では、図１等に示すように、防水カバー５０でチャック２７の先端部分を覆う例を示した。しかし、図４（Ａ）に示すように、防水カバー５０の円筒部５４をチャック２７の後端位置まで後方に延ばし、防水カバー５０でチャック２７全体を覆うようにすることも可能である。このとき、図４（Ｂ）に示すように、防水カバー５０の円筒部５４の後端位置に半径方向内側に張り出す内フランジ部５４ｅを形成し、この内フランジ部５４ｅをチャック２７の後端面２７５ｂに対して半径方向外側から掛けるようにするのが好ましい。
また、本実施形態では、防水カバー５０の内壁面に突条としての内フランジ部５５を設け、チャック２７の締付けリング２７５に前記内フランジ部５５が嵌合するリング溝２７５ｍを設ける例を示した。しかし、チャック２７の締付けリング２７５に突条としてのフランジ部を設け、防水カバー５０の内壁面に前記フランジ部が嵌合するリング溝を設けることも可能である。
また、本実施形態では、防水カバー５０全体をゴムにより形成する例を示したが、シールが必要な箇所のみゴム製とし、その他の部分を樹脂製とすることも可能である。また、ゴムの代わりにテフロン（登録商標）（ポリテトラフルオロエチレン）等を使用することも可能である。
さらに、本実施形態では、防水カバー５０を円錐台部５２と浅い円筒部５４とから構成する例を示したが、防水カバー５０を円錐台部５２のみから構成することも可能である。
また、本実施形態では、回転装置の一例として電動ドライバ１０を例示したが、電動ドリルや、電動ドライバ１０の先端工具２９を清掃用回転体に置き換えた清掃装置等に本発明を適用することも可能である。
【符号の説明】
【００２１】
１０・・・・電動ドライバ（回転装置）
２７・・・・チャック
２９・・・・先端工具
５０・・・・防水カバー
５２ｈ・・・軸穴
５５・・・・内フランジ部（突条）
２７５・・・締付けリング
２７５ｍ・・リング溝
【図１】
2014050919.tif 000003
【図２】
2014050919.tif 000004
【図３】
2014050919.tif 000005
【図４】
2014050919.tif 000006
【図５】
2014050919.tif 000007